(57)【要約】【課題】遊技盤の交換に伴って廃棄される物量を減らす。【解決手段】音制御装置３を音処理部５と音駆動部６とに機能分割して別体として形成し、表示灯制御装置４を表示灯処理部７と表示灯駆動部８とに機能分割して別体として形成し、音駆動部６および表示灯駆動部８は遊技盤の機種が異なっても報知部品１１や表示灯部品１２に駆動するための動作電力を供給する役割は同じであることから、音駆動部６および表示灯駆動部８を報知部品１１や表示灯部品１２の設けられる遊技機枠の内部に取り付け、遊技盤の交換後も交換することなく機種の異なる複数の遊技盤のそれぞれにわたって使用する。【選択図】        図１
2004195095.tif 000002
【特許請求の範囲】
【請求項１】
入賞部品への球の入賞を検出した入賞検出信号の入力で当該入賞検出信号に対応する制御処理を実行し、実行した制御処理の結果で動作部品を駆動するパチンコ機の制御装置において、制御装置を入賞検出信号による制御処理部と制御処理部からの処理の結果で動作部品に動作電力を供給する駆動部とに分割し、この駆動部を動作部品の取り付けられる部材に取り付けたことを特徴とするパチンコ機の制御装置。
【請求項２】
制御処理部が遊技機枠に交換可能に格納される遊技盤に取り付けられる一方、動作部品および駆動部を取り付ける部材が遊技機枠であることを特徴とする請求項１記載のパチンコ機の制御装置。
【発明の詳細な説明】
【０００１】
【発明の属する技術分野】
本発明は球の入賞に伴い動作部品を駆動するパチンコ機の制御装置であって、特に、制御装置を機能分割する構造に関する。
【０００２】
【従来の技術】
図４は従来のパチンコ機の制御装置５１を示す。この制御装置５１は表示灯制御装置と、別の音制御装置とを備える。表示灯制御装置においては、入賞部品２３への球の入賞を表す入賞検出信号が入力されると、表示灯処理部７が入力された入賞検出信号を識別しそれに応じた点灯パターンを決定した結果で表示灯駆動部である表示灯駆動回路５２を制御し、表示灯駆動回路５２が盤側表示灯部品２５や枠側表示灯部品１７を駆動する。これによって、盤側表示灯部品２５や枠側表示灯部品１７が表示灯駆動回路５２からの電力供給で点灯したり表示灯駆動回路５２からの電力供給と遮断との繰り返しで点滅して遊技者に入賞を知らせる。また、音制御装置においては、入賞部品２３への球の入賞を表す入賞検出信号が入力されると、音処理部５が入力された入賞検出信号を識別しそれに応じた報知パターンを決定した結果で音駆動部６を制御し、音駆動部６が報知部品１１を駆動する。これによって、報知部品１１のスピーカ２２が報知パターンに応じた音や音声を放出して遊技者に入賞を知らせる（例えば、特許文献１参照）。
【０００３】
【特許文献１】
特開２００１−５８０４３号公報（第６頁、段落番号００４７、図２と図３および図５）
【０００４】
【発明が解決しようとする課題】
しかし、前記従来例は表示灯制御装置が表示灯処理部７と表示灯駆動回路５２とに機能分割されているものの遊技盤９に取り付けられている。また、音制御装置が音処理部５と音駆動部６とに機能分割されているものの遊技盤９に取り付けられている。このため、遊技機枠１３をそのまま使用し、遊技盤９を新しい機種に交換する場合、表示灯制御装置や音制御装置は遊技盤９と一緒に交換・破棄されるという問題点があった。
【０００５】
そこで、本発明は制御装置を遊技盤と一緒に交換する部分と交換しない部分とに機能分けするとともに遊技盤と一緒に交換しない部分を動作部品の取り付けられる部材に取り付けることによって、廃棄されるものの量を少なくして資源の無駄を省くことができるパチンコ機の制御装置を提供するものである。
【０００６】
【課題を解決するための手段】
本発明にあっては、入賞部品への球の入賞を検出した入賞検出信号の入力で当該入賞検出信号に対応する制御処理を実行し、実行した制御処理の結果で動作部品を駆動するパチンコ機の制御装置において、制御装置を入賞検出信号による制御処理部と制御処理部からの処理の結果で動作部品に動作電力を供給する駆動部とに分割し、この駆動部を動作部品の取り付けられる部材に取り付けたことによって、遊技盤を新しい機種に交換しても、動作部品の取り付けられている部材を遊技盤の新旧にわたって使用することができ、この部材に駆動部が取り付けられているので、遊技盤を交換しても制御処理部からの指示で動作部品への電力供給と遮断とを行う駆動部を動作部品およびそれを取り付けている部材と同様に遊技盤の新旧にわたって使用することで、廃棄されるものの量を少なくして資源の無駄を省くことができる。また、本発明にあっては、制御処理部が遊技機枠に交換可能に格納される遊技盤に取り付けられる一方、動作部品および駆動部を取り付ける部材が遊技機枠であれば、遊技盤を新しい機種に交換すると、制御処理部が古い遊技盤とともに廃棄されるので、交換作業が容易となる。
【０００７】
【発明の実施の形態】
図１から図３は一実施形態であって、図１はパチンコ機の制御装置１を模式的に示し、図２はパチンコ機を模式的に示し、図３は制御装置１と動作部品１４とを模式的に示す。
【０００８】
図１を参照し、パチンコ機の制御装置１について、主制御装置２と音制御装置３および表示灯制御装置４に別体に形成された例を図示して説明する。音制御装置３は音処理部５と音駆動部６とに機能分割されて別体として形成され、表示灯制御装置４は表示灯処理部７と表示灯駆動部８とに機能分割されて別体として形成される。音処理部５および表示灯処理部７は、遊技盤の機種が異なると、報知パターンや点灯パターンが異なることから、図２に示す遊技盤９の裏面に取り付けられて、遊技盤９の機種替えに伴う遊技盤９の交換と一緒に交換される。音駆動部６および表示灯駆動部８は、遊技盤９の機種が異なっても、報知部品１１や表示灯部品１２に駆動するための動作電力を供給する役割は同じであることから、図２に示す報知部品１１や表示灯部品１２の設けられる遊技機枠１３の内部に取り付けられて、遊技盤９の交換後も交換されることなく機種の異なる複数の遊技盤９のそれぞれにわたって使用される。
【０００９】
よって、遊技盤９が旧機種から新機種に交換されても、音駆動部６および表示灯駆動部８は廃棄されることなく使用することができ、廃棄されるものの量を減少することができ、資源の無駄を省くことができる。制御装置１には制御対象部品である動作部品１４が接続される。動作部品１４は報知部品１１と表示灯部品１２とを備える。
【００１０】
図２を参照し、パチンコ機について説明する。パチンコ機は遊技機枠１３の前面に透過性パネル１６、報知部品１１、枠側表示灯部品１７、受皿１８、発射操作機構１９を備え、遊技機枠１３の内部に遊技盤９、発射機構２１、報知部品１１のスピーカ２２を駆動する音駆動部６、枠側表示灯部品１７の表示灯２７を駆動する表示灯駆動部８を備える。音駆動部６および表示灯駆動部８は点線で図示するべきところ、部品相互の関係を明確にするために実線で図示している。遊技機枠１３の前側より透過性パネル１６を通して視認される遊技領域には入賞部品２３、サイドランプと呼ばれる表示灯２４を有する盤側表示灯部品２５が配置される。枠側表示灯部品１７と盤側表示灯部品２５とが表示灯部品１２を構成する。本実施形態の場合、枠側表示灯部品１７の取り付けられる部材である遊技機枠１３には表示灯駆動部８が取り付けられた特徴を有する。
【００１１】
そして、制御装置１に電力が供給され、受皿１８に球が入れられた状態において、遊技者が発射操作機構１９を操作すると、制御装置１が発射機構２１を制御し、発射機構２１が受皿１８から供給された球を１個ずつ発射操作機構１９の操作量に応じた発射力で遊技盤９の遊技領域に向けて発射する。発射された球が入賞部品２３に入賞すると、入賞部品２３に入賞した球を検出した球検出器２６が入賞信号を主制御装置２に出力する。制御装置１が報知部品１１、表示灯部品１２、遊技機枠１３の裏側に設けられた図外の払出機構を制御し、払出機構が入賞という遊技の結果に対する賞球としての球を受皿１８に払い出し、報知部品１１のスピーカ２２が入賞を表す音や音声を放出し、枠側表示灯部品１７の表示灯２７や盤側表示灯部品２５の表示灯２４が入賞を表す光を放つ。
【００１２】
音処理部５および表示灯処理部７を止ねじのような固着具で遊技機枠１３の裏面に取り付けておくとともに固着具を取り外して音処理部５および表示灯処理部７を遊技機枠１３から取り除いて遊技盤９とともに交換する場合に比べて、音処理部５および表示灯処理部７を止ねじのような固着具で遊技盤９の裏面に取り付けておけば、遊技盤９の交換に伴い音処理部５および表示灯処理部７が交換されるので、遊技盤９の交換作業が容易となる。
【００１３】
図３を参照し、制御装置１における音制御装置３と表示灯制御装置４との構造について詳述する。音制御装置３の音処理部５および表示灯制御装置４の表示灯処理部７は図２の遊技盤９に取り付けられる単一の盤側回路基板３１に構成される。盤側回路基板３１には入力ポート３２、ＣＰＵ３３、プログラムＲＯＭ３４、音発生ＩＣ３５、音データＲＯＭ３６、出力バッファ３７、出力ポート３８、盤側表示灯部品２５の表示灯２４を駆動する表示灯駆動回路５２が実装される。主制御装置２から出力された動作指示を受け取る入力ポート３２やＣＰＵ３３およびプログラムＲＯＭ３４は音処理部５と表示灯処理部７とで共用する。音処理部５は専用の音発生ＩＣ３５、音データＲＯＭ３６、出力バッファ３７を備える。表示灯処理部７は専用のプログラムＲＯＭ３４、出力ポート３８、表示灯駆動回路５２を備える。音駆動部６および表示灯駆動部８は図２の遊技機枠１３に取り付けられる単一の枠側回路基板４１に構成される。枠側回路基板４１には同相ノイズ除去回路４２、低周波増幅回路４３、表示灯駆動回路４４が実装される。同相ノイズ除去回路４２と低周波増幅回路４３とが音駆動部６を形成し、表示灯駆動回路４４は表示灯駆動部８と同義語である。
【００１４】
そして、主制御装置２に内蔵されたマイクロコンピュータが入賞に伴う音制御装置３や表示灯制御装置４に対する制御処理を実行した結果として動作指示を表すコマンドを入力ポート３２に出力し、入力ポート３２がコマンドをＣＰＵ３３に出力する。すると、ＣＰＵ３３が入力されたコマンドに対応する音や光を出す形態を規定したプログラムをプログラムＲＯＭ３４より抽出し、そのプログラムに従う処理を実行し、その処理結果を音発生ＩＣ３５と出力ポート３８とに出力する。その結果、音発生ＩＣ３５がＣＰＵ３３からの処理結果に対応する音データを音データＲＯＭ３６から抽出して報知パターンを作成して出力バッファ３７に出力し、出力バッファ３７が同相ノイズ除去回路４２に配線を通して出力する。
【００１５】
同相ノイズ除去回路４２は内蔵された差動アンプで出力バッファ３７から入力された音信号に重畳された電磁波ノイズを相殺し、電磁波ノイズの削減された音信号を低周波増幅回路４３に出力する。低周波増幅回路４３は入力された音信号を増幅して動作電力として報知部品１１のスピーカ２２に配線を通して供給する。これによって、スピーカ２２が音信号に応じた音や音声を放出する。一方、ＣＰＵ３３は上記処理結果としてプログラムＲＯＭ３４から抽出した点灯パターンであるオン・オフ信号を出力ポート３８に出力し、出力ポート３８が配線を経由して表示灯駆動回路４４；５２に出力する。表示灯駆動回路４４；５２は内蔵されたトランジスタのようなスイッチで出力ポート３８から入力されたオン・オフ信号に応じて表示灯部品１２の表示灯２４；２７に動作電力を供給したり遮断したりする。これによって、表示灯２４；２７がオン・オフ信号に応じて点灯、点滅、消灯を行う。
【００１６】
音駆動部６と表示灯駆動部８とが遊技盤９の裏面に止ねじのような固着具で取り付けられ、遊技盤９を交換する場合に、音駆動部６と表示灯駆動部８とを古い遊技盤９から取り外して新しい遊技盤９に取り付けてもよいが、本実施形態のように、音駆動部６と表示灯駆動部８とを遊技機枠１３に取り付ければ、遊技盤９を交換する場合に、音駆動部６と表示灯駆動部８との取り外しおよび取り付け作業が不要であるので、遊技盤９を交換する作業がやり易くなる。
【００１７】
音処理部５と表示灯処理部７とを盤側回路基板３１に類似する別々の回路基板に構成してもよいが、本実施形態のように、音駆動部６と表示灯駆動部８とが音処理部５と表示灯処理部７とから分離されたので、これらの音処理部５と表示灯処理部７とを単一の盤側回路基板３１に構成しても、盤側回路基板３１の大きさは音処理部５と音駆動部６と表示灯処理部７と表示灯駆動部８とが混在する場合よりも必然的に小さくなる。また、音処理部５と表示灯処理部７とが単一の盤側回路基板３１に構成されることで、音処理部５と表示灯処理部７とが盤側回路基板３１に類似する別々の回路基板に構成された場合に比べ、単一の盤側回路基板３１を遊技盤９に取り付ければよいので、盤側回路基板３１の取り付け作業や取り外し作業が容易になる。
【図面の簡単な説明】
【図１】一実施形態のパチンコ機の制御装置を示す模式図。
【図２】同実施形態のパチンコ機を示す模試図。
【図３】同実施形態の制御装置および動作部品を模式的に示す。
【図４】従来のパチンコ機の制御装置を示す模式図。
【符号の説明】
１  制御装置
５  音処理部（制御処理部）
６  音駆動部（駆動部）
７  表示灯処理部（制御処理部）
８  表示灯駆動部（駆動部）
９  遊技盤
１１  報知部品
１２  表示灯部品
１３  遊技機枠（部材）
１４  動作部品
２３  入賞部品
２６  球検出器
【図１】
2004195095.tif 000003
【図２】
2004195095.tif 000004
【図３】
2004195095.tif 000005
【図４】
2004195095.tif 000006